(57)【特許請求の範囲】
【請求項１】
ヘルメットの両側に設けられた耳掛テープにあごテープを連結する連結装置であって、一端に差込口を有する受具と、前記受具に差込み可能な挿入部を一端側に有する差込具とを備え、前記受具に対する前記差込具の差込みに応じて両者がロックされかつ外部操作により両者がアンロックされるヘルメット用連結装置において、前記受具に、棒状分割片により分割された２つのテープ挿通孔を有するテープ締部を設け、前記分割片は、矩形の枠内に平行移動可能に橋架すると共に、端面を波形にした該分割片の両端部を前記枠の外側へ外部操作可能に突出させ、該テープ締部を有する受具は、その２つのテープ挿通孔を通して前記分割片で折返す態様で前記耳掛テープの１つに通し掛けし、前記差込具には、他側の耳掛テープから延ばした前記あごテープを連繋し、前記分割片は、耳掛テープの緊張に応じて移動して、該耳掛テープを枠に押圧すると共に、前記受具に対する差込具の差込みに応じて、該差込具の挿入部の先端が前記テープ締部の分割片に対して耳掛テープを押圧することを特徴とするヘルメット用連結装置。
【発明の詳細な説明】
【０００１】
【発明の属する技術分野】
本発明は、ヘルメットの両側に設けられた耳掛テープにあごテープを連結するためのワンタッチ式の連結装置に関する。
【０００２】
【従来の技術】
従来、この種のヘルメット用連結装置は、例えば、図１１および１２に符号１にて示すように、一端に差込口（図示略）を有しかつ他端部にテープ挿通孔２ａを有する扁平箱形状の受具２と、この受具２に差込み可能な挿入部（図示略）を一端側に有しかつ他端側にテープ挿通孔３ａを有する差込具３とからなっており、受具２に対する差込具３の差込みに応じて両者がロックされ、かつ受具２に設けた一対の操作片４を外部操作することにより両者がアンロックされる構造となっていた。
【０００３】
そして、このような連結装置１をヘルメット５の両側に設けられた耳掛テープ６（片側は省略）に対するあごテープ７の連結に用いるには、従来一般には、片側の耳掛テープ６に輪状部８ａを介して一端部を通し掛けした補助テープ８の他端部を受具２のテープ挿通孔２ａに通して連繋し、一方、図示を略す他側の耳掛テープに前記輪状部８ａと同様の輪状部を介して一端部を通し掛けしたあごテープ７の自由端部を差込具３のテープ挿通孔３ａに通して折返えし、その折返し端部を、例えば枠状のアジャスタ（図示略）に長さ調整可能に締付け固定するようにしていた。
【０００４】
【発明が解決しようとする課題】
しかしながら、上記したあごテープ７の連結態様によれば、補助テープ８およびあごテープ７が左右の耳掛テープ６に輪状部８ａを介して通し掛けされているため、図１１に示すように前側または後側からヘルメット５に外力（衝撃）Ｆ１、Ｆ２が加わると、補助テープ８の輪状部８ａまたはあごテープ７の輪状部、すなわち耳掛テープ６に対するあごテープ７の連繋部が移動し、ヘルメット５が頭部から脱落してしまう危険があった。
【０００５】
なお、この対策として、例えば図１３に示すように、耳掛テープ６に係止片９を縫着して補助テープ８の輪状部８ａの移動を規制し、あるいは図１４に示すように、前記補助テープ８を省略して、受具２を、そのテープ挿通孔２ａを利用して直接耳掛テープ６に通し掛けして、その通し部の周りを縫着（破線で示す）することが一部で行われている。しかし、これらの対策によれば、着用者によっては、耳掛テープ６に対するあごテープ７の連繋部に片寄りが生じ、図１５に示すように、耳掛テープ６の前側または後側に緩み部６´が生じて、ヘルメット５の前側から外力Ｆ１が加わった場合（▲１▼）または後側から外力Ｆ２が加わった場合（▲２▼）に、前記同様にヘルメット５が脱落してしまう危険があり、根本的な対策には至らない。
【０００６】
本発明は、上記した従来の問題点に鑑みてなされたもので、その課題とするところは、耳掛テープに対するあごテープの連繋部を位置調整できることはもちろん、耳掛テープの緊張時には該連繋部を位置固定でき、もってヘルメットの脱落防止に大きく寄与する安全性の高いヘルメット用連結装置を提供することにある。
【０００７】
【課題を解決するための手段】
上記課題を解決するため、本発明は、ヘルメットの両側に設けられた耳掛テープにあごテープを連結する連結装置であって、一端に差込口を有する受具と、前記受具に差込み可能な挿入部を一端側に有する差込具とを備え、前記受具に対する前記差込具の差込みに応じて両者がロックされかつ外部操作により両者がアンロックされるヘルメット用連結装置において、前記受具に、棒状分割片により分割された２つのテープ挿通孔を有するテープ締部を設け、前記分割片は、矩形の枠内に平行移動可能に橋架すると共に、端面を波形にした該分割片の両端部を前記枠の外側へ外部操作可能に突出させ、該テープ締部を有する受具は、その２つのテープ挿通孔を通して前記分割片で折返す態様で前記耳掛テープの１つに通し掛けし、前記差込具には、他側の耳掛テープから延ばした前記あごテープを連繋し、前記分割片は、耳掛テープの緊張に応じて移動して、該耳掛テープを枠に押圧すると共に、前記受具に対する差込具の差込みに応じて、該差込具の挿入部の先端が前記テープ締部の分割片に対して耳掛テープを押圧することを特徴とする。
このように構成したヘルメット用連結装置においては、耳掛テープが緊張していない状態では、耳掛テープに対してテープ締部を自由に移動させることができるので、耳掛テープに対するあごテープの連繋部の片寄りを解消することができる。また、耳掛テープが緊張した状態では、テープ締部が耳掛テープを締付けるように作用するので、該連繋部が移動することはない。さらに、前記分割片が、耳掛テープの緊張に応じて移動して、該耳掛テープを枠に押圧するので、耳掛テープに対するあごテープの連繋部はより確実に位置固定される。また、受具に差込具を差込むと同時に、差込具の挿入部の先端が耳掛テープを押えるので、耳掛テープに対するあごテープの連繋部はより確実に位置固定される。
【０００９】
【発明の実施の形態】
以下、本発明の実施の形態を図面に基いて説明する。
【００１０】
図１および２は、本発明に係るヘルメット用連結装置の第１の実施の形態を示したものである。両図において、１０は、一端に差込口１１を、他端側にテープ締部１２をそれぞれ有する扁平箱形状の受具、２０は、一端側に前記受具１０に差込み可能な挿入部２１を、他端側にテープ挿通孔２２をそれぞれ有する差込具である。受具１０は、後に詳述するようにそのテープ締具１２を利用して前記ヘルメット５の耳掛テープ６（図１１、１２）に通し掛けされ、一方、差込具２０にはそのテープ挿通孔２２を利用して前記あごテープ７（図１１、１２）が連繋されるようになっている。
【００１１】
上記受具１０は、全体として扁平箱形状をなしており、前記差込口１１から続くその内空部１３は、テープ締部１２に隣接する箇所に設けた仕切壁１４で止まりとなっている。受具１０はまた、その左右側壁の、前記差込口１１に偏った部分に内空部１４を外部に開放する長孔１５を設けている。
【００１２】
上記受具１０の他端側に設けたテープ締部１２は、ここでは、前記仕切壁１４を共用する矩形の枠部１６と、この枠部１６を構成する左右の側板１６ａ間に橋架された分割片（固定分割片）１７と、この分割片１７により分割された、枠部１６内の２つのベルト挿通孔１８、１９とからなっている。枠部１６を構成する先端側の端板１６ｂは、受具１０の裏面側（使用時に顔面に対面する側）に偏倚する箇所に該裏面と平行をなすように配置されている。また、前記分割片１７は、アングル状をなし、受具１０のおもて面側に偏倚する箇所に内側を下向きにして配置されている。このテープ締部１２には、図２に示されるように２つのテープ挿通孔１８、１９を通して分割片１７で折返す態様で前記耳掛テープ６が連繋されるようになており、この状態で耳掛テープ６に受具１０の裏面に沿う方向の張力Ｆがかかると、テープ締部１２から耳掛テープ６に締付力が作用する。
【００１３】
一方、差込具２０は、その挿入部２１の両側に一対の爪片２３を設けている。この一対の爪片２３は、先端側を残すように挿入部２１に設けたＬ字形スリット２４により腕状に形成されており、その自由端部は、受具１０に対する抜け方向へ向かうに従って次第に側方へ張り出す拡張部２５となっている。ここで、左右一対の爪片２３間におけるそれぞれの拡張部２５の先端エッジを結ぶ間隔は、前記受具１０の差込口１１の幅寸法よりもわずか大きくなっており、これにより、いま、差込具２０の挿入部２１を受具１０に差込むと、前記一対の爪片２３が、相互に内側へ弾性変形して差込口１１を通過した後、元の状態に復帰する。そして、一対の爪片２３が元の状態に復帰すると、それぞれの拡張部２５の先端エッジ部分が前記受具１０の側面に設けた長孔１５内にわずか入り込み、これにより該先端エッジ部分が長孔１５の、差込口側内端１５ａに着座し、受具１０に対する差込具２０の抜けが規制（ロック）される。
【００１４】
受具１０の内空部１３の底部側には、門形をなすアンロック用操作部材３０が内装されている。この操作部材３０は、その底片に設けたボス部３１を受具１０の仕切壁１４に設けた貫通孔１４ａに嵌入させると共に、受具１０を通して前記ボス部３１に打込んだピン３２により受具１０に対して抜け止めされている。また、この操作部材３０の左右の脚片には前記受具１０の側面の長孔１５に嵌入可能な把持部３３が一体に形成されている。この把持部３３は、常時は受具１０の側面からわずか外側へ突出するようにその厚さが設定されており、その外表面には波形の滑止め部３３ａが設けられている。また、この把持部３３の先端側の内縁は、常時は前記左右一対の爪片２３の拡張部２５の外側傾斜面２５ａに当接するようになっている。したがって、いま、差込具２０が受具１０に差込まれて抜け不能にロックされた状態（図１）のもと、この操作部材３０の左右の把持部３３を指で挟んで内側へ変形させると、各把持部３３の内縁が前記傾斜面２５ａ上を滑動しながら差込具２０の左右の爪片２３に内向きでかつ抜け方向の力を加え、これにより差込具２０はワンタッチで受具１０から抜ける（アンロックされる）ようになる。
【００１５】
上記のように構成した連結装置において、その受具１０は、図２に示したように裏面側からテープ締部１２の２つのテープ挿通孔１８、１９を通して分割片１７で折返す態様で耳掛テープ６の１つに通し掛けされる。また、差込具２０は、そのテープ挿通孔２２に他側の耳掛テープ６から延ばしたあごテープ７を通して折返し、さらにその折返し端部をアジャスタ（図示略）により締付け固定することで、該あごテープ７に連繋される。この場合、受具１０に対して差込具２０を差込む前段階では、耳掛テープ６が緩んだ（緊張していない）状態にあるので、着用者に合せて受具１０を耳掛テープ６に沿って移動させ、耳掛テープ６に対する受具１０の連繋部の片寄りをなくするように位置調整する。
【００１６】
そして、この調整後、受具１０に対して差込具２０を差込むと、差込具２０の挿入部２１に設けた左右一対の爪片２３の作用で、受具１０と差込具２０とは抜け不能にロックされ、この結果、あごテープ７の一端は本締付装置を介して片側の耳掛テープ６に連結される。この時、前記アジャスタによりあごテープ７の長さを調整することで、耳掛テープ６は緊張状態となる。すると、受具１０に設けたテープ締部１２から耳掛テープ６に締付力が作用し、受具１０は耳掛テープ６に対して位置固定される。すなわち、片側の耳掛テープ６に対するあごテープ７の連繋部は不動の状態となり、したがって、使用中、前記図１１に示したように前側または後側からヘルメット５に外力Ｆ１またはＦ２が加わっても、ヘルメット５は脱落することはない。
【００１７】
ここで、図３に示すように、上記受具１０のテープ締部１２と同様の構造を有するテープ締部１２´とテープ挿通孔３５とを有するテープ締具３６を用意して、このテープ締具３６を、他側の耳掛テープ６に対するあごテープ７の連繋に用いるようにしてもよい。なお、図３には、上記テープ締部１２に対応する構成要素にダッシュ（´）を付して示している。この場合は、該テープ締具３６のテープ締部１２´をあごテープ７に通し掛けし、かつそのテープ挿通孔３５にあごテープ７の一端に設けた輪状部３７を連繋する。このようなテープ締具３６を用いることで、上記連結装置を設けた側と同様に他側の耳掛テープ６に対するあごテープ７の連繋部の片寄りを解消することができることはもちろん、耳掛テープ６が緊張した状態では該連繋部を位置固定することができ、ヘルメット５の脱落はより確実に防止される。なお、このテープ締具３６は、そのテープ締部１２´をテープ挿通孔３５を設けた部分にも適用してもよいもので、この場合は、あごテープ７の一端に輪状部３７を設ける必要はなくなる。
【００１８】
図４および５は、本発明に係るヘルメット用連結装置の第２の実施の形態を示したものである。なお、本第２の実施の形態における受具１０および差込具２０の基本構造は、上記操作部材３０（図１）を省略して、該操作部材３０の操作部３３に相当する操作部３３´を受具１０に一体に設けた点を除くと、第１の実施の形態と同じであるので、ここでは、同一部分に同一符号を付し、それらの説明を省略することとする。本第２の実施の形態の特徴とするところは、受具１０の他端側に設けるテープ締部の構造を変更した点にある。
【００１９】
すなわち、本第２の実施の形態におけるテープ締部４０は、前記受具１０の仕切壁１４を共用する矩形の枠部１６と、この枠部１６を構成する左右の側板１６ａ間に平行移動可能に橋架された分割片（可動分割片）４２と、この分割片４２により分割された、枠部１６内の２つのベルト挿通孔４３、４４とからなっている。枠部１６を構成する先端側の端板１６ｂは、ここでは受具１０の厚さ方向に起立する状態で配置されている。前記可動分割片４２は、板状をなし、前記左右の側板１６ａに形成した長孔４５内に両端部を摺動可能に嵌合させている。また、この可動分割片４２の両端部には、端面を波形に形成した把持部４２ａが一体に設けられており、この把持部４２ａは、枠部１６の側板１６ａの側面からわずか突出するように位置決めされている。このテープ締部４０には、図５に示されるように２つのテープ挿通孔４３、４４を通して分割片４２で折返す態様で前記耳掛テープ６が連繋されるようになっており、この状態で耳掛テープ６に受具１０の裏面に沿う方向の張力Ｆがかかると、前記可動分割片４２が端板１６ｂ側へ移動し、テープ締部４０から耳掛テープ６に締付力が作用すると同時に、可動分割片４２と端板１６ｂとの間に耳掛テープ６が挟持されるようになる。なお、可動分割片４２には、多数の小突起４６が設けられており、この小突起４６が滑り止めとなって、耳掛テープ６に対してより確実に締付力が作用する。
本第２の実施の形態としての連結装置の使用態様並びに基本的な作用効果は、上記第１の実施の形態と同様であるが、耳掛テープ６が緩んでいる状態では、テープ締部４０の可動分割片４２の把持部４２ａを指で挟んで自由に移動させることができるので、ヘルメットを被った状態でも耳掛テープ６に対する受具１０の連繋部の位置を調整することができ、より簡単にかつ正確に位置調整を行うことできる。また、耳掛テープ６の緊張に応じてテープ締部４０の可動分割片４２が端板１６ｂ側へ移動するので、可動分割片４２と端板１６ｂとの間に耳掛テープ６が強固に挟持され、この結果、ヘルメット５の脱落はより確実に防止されるようになる。さらに、可動分割片４２の移動により締付力が発生するので、その両側のテープ挿通孔４３、４４を大きめに設定することができ、その分、種々の厚みの耳掛テープ６に汎用的に使用できる。
なお、この可動分割片４２を備えたテープ締部４０の構造は、上記第１の実施の形態におけるテープ締部１２に代えてそのまま用いるようにしてもよいものである。
【００２０】
図６および７は、本発明に係るヘルメット用連結装置の第３の実施の形態を示したものである。なお、本第３の実施の形態における受具１０および差込具２０の基本構造は、上記第２の実施の形態と同じであるので、ここでは、同一部分に同一符号を付し、それらの説明を省略することとする。本第３の実施の形態の特徴とするところは、差込具２０の挿入部２１の先端部２１ａを、受具１０の仕切壁１４を貫通させてテープ締部１２のベルト挿通孔４４内に突出させた点にある。
本第３の実施の形態としての連結装置の使用態様並びに基本的な作用効果は、上記第２の実施の形態と同様であるが、差込具２０を受具１０に差込むと、差込具２０の挿入部２１の先端部２１ａが耳掛テープ６を可動分割片４２に対して押え、耳掛テープ６に対するあごテープ７の連繋部はより確実に位置固定される。この場合、前記可動分割片４２は、第１の実施の形態における固定分割片１７に代えてもよいことは、もちろんである。
【００２１】
ここで、上記第１乃至第３の実施の形態における各連結装置は、その受具１０および差込具２０を含めた全体を、顔面に倣うように湾曲形状としてもよいものである。図８は、上記第２の実施の形態としての連結装置をこのように湾曲形状とした状態を示したもので、この場合は、その湾曲凹面が顔面に添うことで、使用感が向上する。また、上記各連結装置は、同じく図８に示すように、その受具１０と差込具２０との合せ部であって、顔面に当る側に凹部４８を設けるようにしてもよく、この場合は、受具１０と差込具２０との合せ部が直接顔面に当ることがないので、誤って両者の間に肉が挟まれることはなくなり、安全性が向上する。
【００２２】
図９および１０は、本発明に係るヘルメット用連結装置の第４の実施の形態を示したものである。なお、本第４の実施の形態における受具１０および差込具２０の基本構造は、上記第１の実施の形態と同じであるので、ここでは、同一部分に同一符号を付し、それらの説明を省略することとする。本第４の実施の形態の特徴とするところは、受具１０の他端側に設けるテープ締部の設置箇所を変更した点にある。
【００２３】
すなわち、本第４の実施の形態におけるテープ締部５０は、前記受具１０の裏面側に該裏面と所定の間隙Ｓを開けて平行配置した支持板５１上に配設されている。支持板５１は、受具１０と一体に成形され、その一端部が受具１０の差込口１１側に寄った部分に連接部５２を介して支承されている。しかして、この支持板５１には、所定の間隔を開けて２つのベルト挿通孔５３、５４が設けられており、この２つのベルト挿通孔５３と５４との間は分割片５５として構成されている。２つのベルト挿通孔５３、５４のうち、支持板５１の自由端側に位置するベルト挿通孔５３は、受具１０に対する差込具２０の差込方向にわずか傾斜するように配置されている。このテープ締部５０には、図１０に示したように支持板５１と受具１０との間隙Ｓを利用して、その２つのテープ挿通孔５３、５４を通して分割片５５で折返す態様で耳掛テープ６の１つが連繋され、この状態で耳掛テープ６に受具１０の裏面に沿う方向の張力Ｆがかかると、テープ締部５０から耳掛テープ６に締付力が作用するようになる。
本第４の実施の形態としての連結装置の使用態様並びに作用効果は、上記第１の実施の形態と同様であるが、テープ締具５０が受具１０に重なる状態で設置されているので、受具１０の全長が短くなり、より耳掛テープ６に近い箇所であごテープ７を耳掛テープ６に連繋することができ、使用時に、連結装置があご側に寄ることがないので、使用感が向上する。
【００２４】
なお、上記各実施の形態においては、差込具２０のテープ挿通孔２２に他側の耳掛テープ６から延ばしたあごテープ７を通して折返し、その折返し端部をアジャスタ（図示略）により締付け固定するようにしたが、本発明は、この差込具２０にも、そのテープ挿通孔２２に代えて、第１乃至第３の実施の形態におけるテープ締部１２、４０を設けるようにしてもよく、この場合は、前記した特別のアジャスタは不要になる。
また、上記第１乃至第３の実施の形態においては、受具１０にテープ締部１２、４０を設けて、受具１０を耳掛テープ６に通し掛けするようにしたが、本発明は、該テープ締部１２、４０を差込部２０に設けて、差込部２０を耳掛部テープ６に通し掛けするようにしてもよいものである。
【００２５】
【発明の効果】
以上、説明したように、本発明に係るヘルメット用連結装置によれば、耳掛テープに対するあごテープの連繋部を位置調整できることはもちろん、耳掛テープの緊張時には該連繋部を位置固定できるので、ヘルメットの脱落防止に大きく寄与するものとなる。
【図面の簡単な説明】
【図１】本発明に係るヘルメット用連結装置の第１の実施の形態を一部断面として示す平面図である。
【図２】図１のＸ−Ｘ矢視線に沿う断面図である。
【図３】他側の耳掛テープに対するあごテープの連繋に用いるテープ締具の構造を示す平面図である。
【図４】本発明に係るヘルメット用連結装置の第２の実施の形態を一部断面として示す平面図である。
【図５】図４のＸ´−Ｘ´矢視線に沿う断面図である。
【図６】本発明に係るヘルメット用連結装置の第３の実施の形態を示す平面図である。
【図７】図６のＸ"−Ｘ"矢視線に沿う断面図である。
【図８】第２の実施の形態としての連結装置を全体に湾曲させた状態を示す断面図である。
【図９】本発明に係るヘルメット用連結装置の第４の実施の形態を示す平面図である。
【図１０】図８に示した連結装置を一部断面として示す側面図である。
【図１１】ヘルメットに対する従来の連結装置の使用態様を示す模式図である。
【図１２】従来の連結装置の使用態様を拡大して示す斜視図である。
【図１３】従来のヘルメット脱落防止対策の１つの実施形態を示す斜視図である。
【図１４】従来のヘルメット脱落防止対策の他の実施形態を示す斜視図である。
【図１５】図１３に示したヘルメット脱落防止対策における不具合発生状態を示す模式図である。
【符号の説明】
５  ヘルメット、    ６  耳掛テープ、    ７  あごテープ
１０  受具
１２、４０、５０  テープ締部
１６  枠部
１７、４２、５５  分割片
１８，１９、４３，４４、５３，５４  ベルト挿通孔
２０  差込具
２１  差込具の挿入部
３０  操作部材、    ３３  操作部
【図１】
0003861215.tif 000002
【図２】
0003861215.tif 000003
【図３】
0003861215.tif 000004
【図４】
0003861215.tif 000005
【図５】
0003861215.tif 000006
【図６】
0003861215.tif 000007
【図７】
0003861215.tif 000008
【図８】
0003861215.tif 000009
【図９】
0003861215.tif 000010
【図１０】
0003861215.tif 000011
【図１１】
0003861215.tif 000012
【図１２】
0003861215.tif 000013
【図１３】
0003861215.tif 000014
【図１４】
0003861215.tif 000015
【図１５】
0003861215.tif 000016